(57)【要約】【課題】撮影により取得した画像データを仮想的に他の撮像装置のレンズ特性及びイメージセンサ特性に合わせて変換して出力する撮像装置を提供する。【解決手段】撮像装置の一例であるコンパクトデジタルカメラ１００のシステム制御部５０は、別の撮像装置の一例であるである業務用デジタルビデオカメラで撮像を行った場合に得られる画像データを仮想的に取得するための変換情報であるエミュレート情報を取得し（Ｓ３０１）、取得したエミュレート情報に基づいて、撮影条件の設定と撮影、撮影により取得した画像データの変換処理を行う（Ｓ３０２）。【選択図】図３
2014176004.tif 000002
【特許請求の範囲】
【請求項１】
被写体を撮像する撮像手段を備える撮像装置であって、
前記撮像装置とは異なる別の撮像装置で撮像を行った場合に得られる画像データを仮想的に取得するための変換情報としてのエミュレート情報を取得する取得手段と、
前記取得手段が取得したエミュレート情報に基づき前記撮像手段による撮影条件を設定する設定手段と、
前記設定手段により設定された撮影条件に基づいて前記撮像手段が取得した画像データを、前記取得手段が取得したエミュレート情報に基づいて変換するデータ変換手段とを備えることを特徴とする撮像装置。
【請求項２】
前記エミュレート情報は、って、前記別の撮像装置のレンズエミュレート情報、センサエミュレート情報および色空間エミュレート情報のうち少なくとも１つのエミュレート情報を含むことを特徴とする請求項１に記載の撮像装置。
【請求項３】
前記別の撮像装置のレンズエミュレート情報は、レンズの種類、Ｆ値、焦点距離、被写界深度、歪み、周辺減光および色味に関する情報のうち少なくとも１つを含むことを特徴とする請求項２に記載の撮像装置。
【請求項４】
前記別の撮像装置のセンサエミュレート情報は、センサの種類、アスペクト、画素サイズ、画素数、開口率、画素ピッチ、フィルタ配列およびダイナミックレンジに関する情報のうち少なくとも１つを含むことを特徴とする請求項２に記載の撮像装置。
【請求項５】
前記別の撮像装置の色空間エミュレート情報とは、色空間の種類、色域、ビット深度に関する情報のうち少なくとも１つを含むことを特徴とする請求項２に記載の撮像装置。
【請求項６】
前記取得手段は、前記エミュレート情報は、前記別の撮像装置のレンズエミュレート情報、センサエミュレート情報および色空間エミュレート情報を取得し、
前記設定手段は、前記取得手段が取得した前記レンズエミュレート情報および前記センサエミュレート情報に基づいて前記撮像手段による撮影条件を決定し、
前記データ変換手段は、
前記設定手段により設定された撮影条件に基づいて前記撮像手段が取得した画像データを前記レンズエミュレート情報および前記センサエミュレート情報に基づいて変換する第１の変換手段と、
前記第１の変換手段により変換された画像データを前記取得手段が取得した前記色空間エミュレート情報に基づいて変換する第２の変換手段と、
前記第２の変換手段により変換された画像データに対して画像調整パラメータを調整する画像調整手段とを有することを特徴とする請求項２に記載の撮像装置。
【請求項７】
前記画像調整パラメータは、色と階調の少なくとも１つを含むことを特徴とする請求項６記載の撮像装置。
【請求項８】
前記撮像手段が取得した画像データと、前記第１の変換手段により変換された後の画像データと、前記第２の変換手段により変換された後の画像データと、前記画像調整手段により調整された画像データとをそれぞれ別々のファイルとして記憶する記憶手段を備えることを特徴とする請求項６又は７に記載の撮像装置。
【請求項９】
前記記憶手段は、前記別々のファイルの相互関係を示す情報を更に記憶することを特徴とする請求項８記載の撮像装置。
【請求項１０】
前記画像調整手段によって調整された画像データを画像として表示する表示手段を備えることを特徴とする請求項６乃至９のいずれか１項に記載の撮像装置。
【請求項１１】
前記表示手段に、前記撮像装置での撮影パラメータと前記別の撮像装置の撮影パラメータとを重畳表示するか或いは一方を表示するかを切り替える操作手段を備えることを特徴とする請求項１０に記載の撮像装置。
【請求項１２】
前記別の撮像装置のエミュレート情報を記憶する記憶手段を備え、
前記取得手段は、前記記憶手段から前記エミュレート情報を取得することを特徴とする請求項１乃至１１のいずれか１項に記載の撮像装置。
【請求項１３】
ネットワークを介して外部のデータベースと通信する通信手段を備え、
前記取得手段は、前記通信手段により前記ネットワークを介して前記データベースから前記エミュレート情報を取得することを特徴とする請求項１乃至１１のいずれか１項に記載の撮像装置。
【請求項１４】
前記取得手段は、前記データベースに前記撮像装置と前記別の撮像装置の組み合わせに該当するエミュレート情報があるか否かを検索し、該当するエミュレート情報があった場合に前記該当するエミュレート情報を取得することを特徴とする請求項１３に記載の撮像装置。
【請求項１５】
被写体を撮像する撮像装置が実行する画像処理方法であって、
前記撮像装置とは異なる別の撮像装置で撮像を行った場合に得られる画像データを仮想的に取得するための変換情報としてのエミュレート情報を取得する取得ステップと、
前記取得ステップで取得したエミュレート情報に基づき前記撮像装置による撮影条件を設定する設定ステップと、
前記設定ステップで設定された撮影条件に基づいて前記撮像装置が取得した画像データを、前記取得ステップで取得したエミュレート情報に基づいて変換するデータ変換ステップとを有することを特徴とする画像処理方法。
【発明の詳細な説明】
【技術分野】
【０００１】
本発明は、静止画や動画を撮影可能なデジタルカメラやデジタルビデオカメラ等の撮像装置、及び撮影により取得した画像の画像処理方法に関する。
【背景技術】
【０００２】
近年、テレビ放送業界や映画業界において、固体撮像素子（イメージセンサ）を用いて静止画や動画を撮影する撮像装置であるデジタルカメラやデジタルビデオカメラが広く使用されている。例えば、映像制作の際には、本番撮影前に、事前にスタッフがロケ地を探し歩き回ってベストアングルを探すロケーションハンティングという作業が行われる。ロケーションハンティングは、作品の完成度に大きく影響するために重要視されており、可能な限り、本番撮影と同じ撮影条件で撮影することが求められている。
【０００３】
しかしながら、一般的に、本番撮影時には高画質・高機能の業務用大型カメラ（業務用デジタルビデオカメラ）が用いられており、ロケーションハンティング時に本番撮影時と同じカメラやモニタ等の撮影機材を準備することは、容易ではない。また、ロケーションハンティング時に業務用大型カメラを用いた場合、作業負荷が大きくなるという問題もある。
【０００４】
これらの問題を解決する技術として、仮想的に任意のカメラ特性に合わせて画像データを補正する方法が提案されている。例えば、装着されていない交換レンズによる仮想撮影画像を表示することができる交換レンズ式デジタルカメラが提案されている（特許文献１参照）。この技術によれば、ユーザは、レンズを用意する手間や交換する手間を省いて、装着されていないレンズで撮影した場合の画像を体験することができる。
【先行技術文献】
【特許文献】
【０００５】
【特許文献１】特開２００９−２５３３７２号公報
【発明の概要】
【発明が解決しようとする課題】
【０００６】
しかしながら、上記特許文献１に記載された技術では、カメラ本体の撮像素子等の特性について考慮されていない。そのため、カメラをロケーションハンティングに用いる場合に、交換レンズを交換する手間を省くことは可能であるが、本番撮影時にはロケーションハンティング時と同じカメラ（カメラ本体）を用意して撮影を行う必要がある。
【０００７】
本発明は、撮影データを仮想的に他の撮像装置のレンズ特性及びイメージセンサ特性に合わせて変換して出力することができる撮像装置を提供することを目的とする。
【課題を解決するための手段】
【０００８】
本発明に係る撮像装置は、被写体を撮像する撮像手段を備える撮像装置であって、前記撮像装置とは異なる別の撮像装置で撮像を行った場合に得られる画像データを仮想的に取得するための変換情報としてのエミュレート情報を取得する取得手段と、前記取得手段が取得したエミュレート情報に基づき前記撮像手段による撮影条件を設定する設定手段と、前記設定手段により設定された撮影条件に基づいて前記撮像手段が取得した画像データを、前記取得手段が取得したエミュレート情報に基づいて変換するデータ変換手段とを備えることを特徴とする。
【発明の効果】
【０００９】
本発明に係る撮像装置は、他の撮像装置のエミュレート情報を取得して撮影とデータ変換を行うことにより、前記他の撮像装置のレンズ特性やイメージセンサ特性に合わせた画像データを仮想的に生成することができる。これにより、例えば、仮撮影時に本発明に係る撮像装置として汎用の小型撮像装置を用い、本番撮影時に用いる大型撮像装置のエミュレート情報を取得することで、大型撮像装置のレンズ特性等に合わせた画像データを得ることができる。よって、仮撮影時には本番撮影時に用いる撮像装置と同じ撮像装置を準備する必要がなくなり、作業負荷を軽減することができると共に、汎用の小型撮像装置等を用いて、本番撮影時に大型撮像装置を用いて得られる画像と同等の画像を得ることができるようになる。
【図面の簡単な説明】
【００１０】
【図１】第１実施形態に係る、仮撮影（ロケーションハンティング）時と本番撮影時での撮像装置の利用形態を比較して示す図である。
【図２】図１に示す仮撮影時に用いるコンパクトデジタルカメラの概略構造を示すブロック図である。
【図３】第１実施形態でのコンパクトデジタルカメラ（仮撮影時カメラ）で実行される動作のフローチャートである。
【図４】本番撮影時カメラ及び仮撮影時カメラ（図２のコンパクトデジタルカメラ）のそれぞれのカメラ情報及びレンズ情報を示すテーブルの一例を示す図である。
【図５】本番撮影時カメラ及び仮撮影時カメラのダイナミックレンジに関するエミュレート情報テーブルの一例を示す図である。
【図６】図３のステップＳ３０３で実行される色空間変換処理の内容を模式的に示す図である。
【図７】図３のステップＳ３０１でダイナミックレンジに関するエミュレート情報を取得し、ステップＳ３０２で撮影及び画像データを変換する処理のフローチャートである。
【図８】ＨＤＲ画像の合成手順を模式的に示す図である。
【図９】レンズの色味に関するエミュレート情報テーブルの例を示す図である。
【図１０】第２実施形態でのコンパクトデジタルカメラ（仮撮影時カメラ）で実行される動作のフローチャートである。
【図１１】レンズの色味のエミュレート処理の内容を模式的に示す図である。
【発明を実施するための形態】
【００１１】
以下、本発明の実施形態について、添付図面を参照して詳細に説明する。
【００１２】
＜第１実施形態＞
第１実施形態に係る撮像装置では、ＣＣＤセンサやＣＭＯＳセンサ等のイメージセンサ等のエミュレート情報を取得し、露出の異なる複数枚の画像を撮影し、撮影した複数枚の画像を合成する。これにより、他の撮像装置と同等のダイナミックレンジの画像（以下「ＨＤＲ画像」という）を生成する。なお、以下の説明では、第１実施形態に係る撮像装置はコンパクトデジタルカメラであり、他の撮像装置は業務用（大型）デジタルビデオカメラであるとする。
【００１３】
図１は、仮撮影（ロケーションハンティング）時と本番撮影時での撮像装置の利用形態を比較して示す図である。図１（ａ）に示すように、仮撮影時には、所謂、コンパクトデジタルカメラを用いて撮影するものとする。これに対して、図１（ｂ）に示すように、本撮影時には、仮撮影時とは異なる業務用デジタルビデオカメラを用いるものとし、更に、カラーグレーディング装置により所望の画像データを生成するものとする。
【００１４】
そのため、仮撮影時には、コンパクトデジタルカメラにより本番撮影時に用いる業務用デジタルビデオカメラ（以下、適宜、「本番撮影時カメラ」と称呼する）のダイナミックレンジに関するエミュレート情報を取得する。そして、このコンパクトデジタルカメラにより、露出の異なる複数枚の画像を撮影し、撮影した複数枚の画像を合成してＨＤＲ画像を生成することにより、本番撮影時カメラで撮影した場合と同等の画像を生成する。以下、仮撮影時に用いるコンパクトデジタルカメラ（以下、適宜、「仮撮影時カメラ」と称呼する）の構成と実行される処理内容について詳細に説明する。
【００１５】
図２は、仮撮影時に用いるコンパクトデジタルカメラ１００の概略構造を示すブロック図である。コンパクトデジタルカメラ１００は、レンズ群１０１、シャッタ１０２、撮像部１０３、Ａ／Ｄ変換器１０４、画像処理部１０５、メモリ１０６、メモリ制御部１０７、Ｄ／Ａ変換器１０８及び表示部１０９を備える。また、コンパクトデジタルカメラ１００は、システム制御部５０、インタフェース（Ｉ／Ｆ）１１０、システムタイマ１１２、システムメモリ１１３、不揮発性メモリ１１４及び操作部１１５を備える。
【００１６】
被写体からの反射光を取り入れるレンズ群１０１は、ズームレンズやフォーカスレンズを含む。シャッタ１０２は、絞り機能を備える。撮像部１０３は、レンズ群１０１を通過した被写体からの反射光による光学像を電気信号に変換するＣＣＤセンサやＣＭＯＳセンサ等のイメージセンサで構成される。Ａ／Ｄ変換器１０４は、撮像部１０３から出力されるアナログ信号をデジタル信号（画像データ（ＲＡＷデータ））に変換する。
【００１７】
画像処理部１０５は、Ａ／Ｄ変換器１０４から出力される画像データに対して各種の画像処理を行う。例えば、画像処理部１０５が画像データに対して所定の演算処理を行い、得られた演算結果をシステム制御部５０へ送る。システム制御部５０が画像処理部１０５から取得した演算結果に基づいて露光制御や測距制御を行うことにより、ＴＴＬ（スルー・ザ・レンズ）方式のＡＦ（オートフォーカス）処理やＡＥ（自動露出）処理、ＥＦ（フラッシュプリ発光）処理が行われる。また、画像処理部１０５は、画像データに対して所定の演算処理を行い、得られた演算結果に基づいてＴＴＬ方式のＡＷＢ（オートホワイトバランス）処理を行う。
【００１８】
Ａ／Ｄ変換器１０４から出力される画像データは、画像処理部１０５及びメモリ制御部１０７を介してメモリ１０６に書き込まれ、或いは、メモリ制御部１０７のみを介してメモリ１０６に書き込まれる。メモリ１０６は、Ａ／Ｄ変換器１０４から出力される画像データや表示部１０９に表示するための画像データを格納する。なお、メモリ１０６は、所定枚数の静止画像や所定時間の動画像、音声を格納するのに十分な記憶容量を備えており、画像表示用のメモリ（ビデオメモリ）を兼ねる。
【００１９】
Ｄ／Ａ変換器１０８は、メモリ１０６に格納されている画像表示用のデータをアナログ信号に変換して表示部１０９に供給する。こうして、メモリ１０６に書き込まれた表示用の画像データは、Ｄ／Ａ変換器１０８を介して表示部１０９に表示される。表示部１０９は、ＬＣＤ（液晶ディスプレイ）等の表示器からなり、Ｄ／Ａ変換器１０８から供給されるアナログ信号に応じた表示を行う。
【００２０】
インタフェース（Ｉ／Ｆ）１１０は、記憶媒体１１１とシステム制御部５０等の間での通信を可能にするインタフェースである。記憶媒体１１１は、メモリカードやハードディスク等であり、コンパクトデジタルカメラ１００の本体に内蔵されていていてもよいし、着脱自在であってもよい。
【００２１】
システム制御部５０は、コンパクトデジタルカメラ１００のシステム全体の制御を司る。また、システム制御部５０は、不揮発性メモリ１１４に記憶されたプログラムを実行することにより、以下に説明する本実施形態に特徴的な各種処理を実行する。システムタイマ１１２は、各種制御に用いる時間や内蔵された時計の時間を計測する。システムメモリ１１３は、システム制御部５０の動作用の定数、変数の記憶と、不揮発性メモリ１１４から読み出したプログラム等の展開に用いられる。
【００２２】
不揮発性メモリ１１４は、電気的に消去と記憶が可能であり、例えば、ＥＥＰＲＯＭ等が用いられる。不揮発性メモリ１１４には、システム制御部５０の動作用の定数や、後述する各種フローチャートを実行するためのプログラム等が記憶される。操作部１１５は、コンパクトデジタルカメラ１００に対する各種のユーザにより操作指示を入力するためのボタンやスイッチ、表示部１０９を利用したタッチパネル等を含む。
【００２３】
図３は、第１実施形態でのコンパクトデジタルカメラ１００で実行される動作のフローチャートであり、システム制御部５０が、所定のプログラムを実行することにより、本番撮影時カメラのエミュレート情報を取得し、撮影、記憶、表示を行う処理の流れを示している。
【００２４】
ステップＳ３０１において、システム制御部５０は、レンズ、イメージセンサ及び色空間に関するエミュレート情報（レンズエミュレート情報、センサエミュレート情報及び色空間エミュレート情報）を取得する。なお、エミュレート情報とは、本撮影時カメラで撮像を行った場合に得られる画像データを仮想的に取得するための変換情報である。エミュレート情報は、コンパクトデジタルカメラ１００の不揮発性メモリ１１４や記憶媒体１１１にデータベースとして予め登録されている。不揮発性メモリ１１４や記憶媒体１１１に設けられたデータベースには、本番撮影時カメラのカメラ情報、コンパクトデジタルカメラ１００のカメラ情報及び本番撮影時カメラで得られる画像と同等の画像をコンパクトデジタルカメラ１００で得るためのエミュレート情報が記憶されている。
【００２５】
図４は、本番撮影時カメラ及び仮撮影時カメラのそれぞれのカメラ情報及びレンズ情報を示すテーブルの一例を示す図である。カメラ情報テーブル４０１，４０３は、カメラ情報として、機種名、動画フォーマット、静止画フォーマット、イメージセンサ、露出、ダイナミックレンジ、画素数等の情報を含む。また、レンズ情報テーブル４０２，４０４は、レンズ情報として、レンズ名、レンズ種類、レンズ構成、焦点距離、最短撮影距離、ズーム比、色味等の情報を含む。
【００２６】
図５は、ダイナミックレンジに関するエミュレート情報テーブルの一例を示す図である。このエミュレート情報テーブル５０１は、本番撮影時カメラと仮撮影時カメラのそれぞれのカメラ機種名、ダイナミックレンジ、エミュレート情報（１），（２）を含む。仮撮影時カメラであるコンパクトデジタルカメラ１００を用いて、図５に示すエミュレート情報を用いて本番撮影時カメラと同等の画像を生成する処理フローについては、後述する。
【００２７】
ステップＳ３０１の後のステップＳ３０２において、システム制御部５０は、ステップＳ３０１で取得したレンズとイメージセンサのエミュレート情報に基づいて、撮影条件を決定する。そして、システム制御部５０は、決定した撮影条件で撮影を行い、レンズとイメージセンサのエミュレート情報に基づいて、得られた画像データのデータ変換処理を画像処理部１０５に実行させる。続くステップＳ３０３において、システム制御部５０は、ステップＳ３０１で取得した色空間のエミュレート情報に基づき、画像処理部１０５に画像データの変換処理を実行させる。なお、色空間のエミュレート情報は、色空間の種類、色域、ビット深度に関する情報のうち少なくとも１つを含む。
【００２８】
例えば、本番撮影時の色空間は、ＡＭＰＡＳ（Academy of Motion Picture Arts and Science（米国映画芸術科学協会））が提案し、ＳＭＰＴＥ（Society of Motion Picture and Television Engineers（米国映画テレビ技術者協会））において規格化されたＡＣＥＳ（Academy Color Encoding Specification（アカデミー色符号化仕様））空間である。
【００２９】
図６は、色空間変換処理の内容を模式的に示す図である。図６に示すように、仮撮影時の色空間は、ＩＴＵ−Ｒ  ＢＴ．７０９やＳＲＧＢで規定されている色空間である場合には、その色空間の画像データのＲＧＢ値（以下「７０９ＲＧＢ」と記す）を、一旦、ＸＹＺ色空間に変換する。そして、ＸＹＺ色空間からＡＣＥＳ色空間のＲＧＢの画素値（以下「ＡＣＥＳＲＧＢ」と記す）に変換する処理を行う。なお、ここでは、７０９ＲＧＢからＡＣＥＳＲＧＢへの変換行列をＭ７０９→ＡＣＥＳとしている。
【００３０】
ステップＳ３０３の後のステップＳ３０４において、システム制御部５０は、エミュレート関係以外の所定の画像調整パラメータファイルに基づき、画像処理部１０５に画像データの変換処理を実行させる。「エミュレート関係以外の所定の画像調整パラメータファイル」とは、例えば、撮影監督が所望する画像となるように画像全体の色味を微調整するための画像調整パラメータファイルを指し、画像調整パラメータは、色と階調の少なくとも１つを含む。なお、画像調整パラメータファイルは、不揮発性メモリ１１４や記憶媒体１１１に予め記憶されているものとする。エミュレート関係以外の所定の画像調整が不要な場合には、ステップＳ３０４の処理は省略される。
【００３１】
続いて、ステップＳ３０５において、システム制御部５０は、ステップＳ３０１〜Ｓ３０４において画像処理部１０５で処理した最終出力の画像データを記憶する。ここで、ステップＳ３０１で取得したエミュレート情報ファイル、ステップＳ３０２の撮影で取得した画像データファイルと、レンズ及びイメージセンサのエミュレート情報に基づいて画像データを変換した変換後の画像データファイルのそれぞれを、必要に応じて記憶してもよい。同様に、ステップＳ３０３において色空間のエミュレート情報に基づいて画像データを変換した変換後の画像データファイル、ステップＳ３０４で用いた画像調整パラメータファイルのそれぞれを、必要に応じて記憶してもよい。これらの各ファイルを別々に記憶する場合には、各ファイルの相互関係を示す情報を加えて記憶することが好ましい。これにより、各処理過程での画像データを容易に取り出すことが可能となり、後にエミュレート情報や画像調整パラメータを変更する必要が出てきた場合の対処を容易に行うことができるようになる。
【００３２】
ステップＳ３０６において、システム制御部５０は、ステップＳ３０１〜Ｓ３０４において画像処理部１０５で処理した最終出力の画像データ（つまり、ステップＳ３０５で記憶した最終出力の画像データ）を表示部１０９で表示する。これにより、仮撮影時カメラであるコンパクトデジタルカメラ１００を用いて取得した画像を、本番撮影時カメラである業務用デジタルビデオカメラによって取得する画像と同等の画質の画像として、確認することができる。
【００３３】
図７は、ステップＳ３０１でダイナミックレンジに関するエミュレート情報を取得し、ステップＳ３０２で撮影及び画像データを変換する処理のフローチャートである。ステップＳ７０１において、システム制御部５０は、イメージセンサのダイナミックレンジのエミュレート情報を取得する。「ダイナミックレンジのエミュレート情報」とは、図５に示したように、本番撮影時カメラ及び仮撮影時カメラのそれぞれの機種名、ダイナミックレンジ、エミュレート情報（１）、（２）等の情報である。なお、図５は、本番撮影時カメラのダイナミックレンジ１２ｅＶに対し、仮撮影時カメラのダイナミックレンジは１０ｅＶであり、エミュレート情報（１）として露出を±１段差で撮影した２枚の画像を合成して、ＨＤＲ画像を生成することを示している。
【００３４】
ここで、ＨＤＲ画像の合成手順について、図８を参照して説明する。図８は、ＨＤＲ画像の合成手順を模式的に示す図である。図８において、縦方向は画像のダイナミックレンジの幅を示しており、各矢印は撮影された画像等が持つダイナミックレンジの範囲を示している。なお、図８では、「本番撮影時カメラ」を「本番カメラ」、「仮撮影時カメラ」を「仮カメラ」と略記している。
【００３５】
図８（ａ）では、図５のエミュレート情報（１）に従い、２枚の画像を合成して、ＨＤＲ画像を生成する。図８（ａ）（i）は、本番撮影時カメラのダイナミックレンジが１２ｅＶであることを示している。これに対して、図８（ａ）（ii）は、仮撮影時カメラのダイナミックレンジが１０ｅＶであることを示している。そのため、本番撮影時カメラに対して、仮撮影時カメラでは、ダイナミックレンジが２ｅＶだけ足りないことになる。
【００３６】
そこで、図８（ａ）（iii）に示すように、仮撮影時カメラの露出を＋１段に設定して撮影すると共に、図８（ａ）（iv）に示すように、仮撮影時カメラの露出を−１段に設定して撮影する。そして、図８（ａ）（iii），（iv）で撮影した画像を合成することによって、図８（ａ）（v）に示すように、ダイナミックレンジが１２ｅＶ相当の画像を得る。
【００３７】
図８（ｂ）では、図５のエミュレート情報（２）に従い、４枚の画像を合成して、ＨＤＲ画像を生成する。図８（ｂ）の（i），（ii）はそれぞれ、図８（ａ）の（i），（ii）と同じである。つまり、本番撮影時カメラに対して、仮撮影時カメラでは、ダイナミックレンジが２ｅＶだけ足りない。そこで、図８（ｂ）（iii）〜（vi）に示すように、露出を±１／２段差で撮影した４枚の画像を撮影し、合成することにより、図８（ｂ）（vii）に示すように、ダイナミックレンジが１２ｅＶ相当の画像を得る。
【００３８】
ステップＳ７０１の後のステップＳ７０２において、システム制御部５０は、ステップＳ７０１で取得したダイナミックレンジのエミュレート情報に基づき、コンパクトデジタルカメラ１００の撮影条件を設定する。例えば、取得したエミュレート情報が図５のエミュレート情報（１）である場合、露出±１段差で２枚の画像を撮影する撮影条件が設定される。
【００３９】
続くステップＳ７０３において、システム制御部５０は、ステップＳ７０２で設定された撮影条件で撮影を行う。その後、ステップＳ７０４において、システム制御部５０は、他のエミュレート情報があるか否かを判定する。他のエミュレート情報がない場合（Ｓ７０３でＮＯ）、システム制御部５０は処理を終了させる。一方、他のエミュレート情報がある場合（Ｓ７０３でＹＥＳ）、システム制御部５０は、処理をステップＳ７０２へ戻す。例えば、取得したエミュレート情報が図５に示したように２つある場合、エミュレート情報（１）に従って撮影を行った後、エミュレート情報（２）に従って撮影を行う。
【００４０】
以上の説明の通り、第１実施形態では、コンパクトデジタルカメラ１００が、業務用デジタルビデオカメラのダイナミックレンジに関するエミュレート情報を取得して、撮影条件を決定する。そして、コンパクトデジタルカメラ１００は、決定された撮影条件で撮影を行い、得られた画像データを業務用デジタルビデオカメラに合わせて変換し、記憶、表示する。その際、ダイナミックレンジに関するエミュレート情報として、業務用デジタルビデオカメラのイメージセンサ及び色空間のエミュレート情報を用いている。これにより、業務用デジタルビデオカメラのイメージセンサ及び色空間の特性に合わせた画像データを生成し、各々の処理工程のデータを記録し、表示することを、コンパクトデジタルカメラ１００により実現可能とすることを可能とした。
【００４１】
よって、第１実施形態によれば、ユーザは、第１実施形態に係る撮像装置（例えば、コンパクトデジタルカメラ）を用いて、仮想的に他の撮像装置（例えば、業務用デジタルビデオカメラ）の画像を生成することが可能となる。これにより、例えば、仮撮影時（ロケーションハンティング時）に第１実施形態に係る撮像装置を用いることにより、例えば、汎用の小型撮像装置等を用いて、本番撮影時に大型撮像装置を用いて得られる画像と同等の画像を得ることができるようになる。また、本番撮影時に用いる撮像装置を準備する必要がなくなるため、作業負荷を軽減することができる。
【００４２】
なお、上記実施形態では、コンパクトデジタルカメラ１００のシステム制御部５０が、業務用デジタルビデオカメラが備えるイメージセンサのダイナミックレンジのエミュレート情報を取得するとした。しかし、エミュレート情報はダイナミックレンジに限られるものではない。例えば、エミュレート情報として、イメージセンサの種類、アスペクト比、画素サイズ、画素数、開口率、画素ピッチ、フィルタ配列等の関するエミュレート情報を用いてもよい。
【００４３】
一例として、イメージセンサのアスペクト比のエミュレート情報を取得した場合について以下に説明する。この場合、本番撮影時のイメージセンサのアスペクト比に合わせて、仮撮影時カメラでパノラマ撮影を行う等して、本番撮影時のアスペクト比に合わせる。例えば、本番撮影時カメラのイメージセンサのアスペクト比が１６：９であるのに対して、仮撮影時カメラのイメージセンサのアスペクト比が３：２である場合、パノラマ撮影又はトリミングにより、１６：９の比率に合わせる。
【００４４】
別の例として、イメージセンサの画素数のエミュレート情報を取得した場合について説明する。この場合、仮撮影時カメラのイメージセンサの画素数は、本番撮影時カメラのイメージセンサの画素数よりも少ないため、全体的にぼやけた画像になってしまう可能性がある。そこで、エッジ強調処理を行うことで、本番撮影時カメラのイメージセンサの画素数で撮影した場合の画質に合わせる。
【００４５】
なお、上記説明では、第１実施形態に係る撮像装置として、コンパクトデジタルカメラを取り上げたが、これに限定されるものではなく、例えば、一般的な（家庭用）の一眼レフデジタルカメラやデジタルビデオカメラで同様の構成を取ることが可能である。また、上記説明では、エミュレート情報が２つある場合（図５参照）について説明したが、これに限られるものではなく、エミュレート情報は１つであってもよいし、３つ以上あってもよい。エミュレート情報が複数ある場合には、エミュレート処理時間が長くなるため、予めユーザがエミュレート処理時間を設定し、その処理時間範囲で優先度が高いエミュレート情報から処理する構成としてもよい。
【００４６】
更に、上記説明では、コンパクトデジタルカメラ１００は、その内部の不揮発性メモリ１１４又は記憶媒体１１１に設けられているデータベースにあるエミュレート情報に基づいてエミュレートを行う構成とした。しかし、これに限定されるものではなく、データベースが外部にある構成としても構わない。その場合は、システム制御部５０は、不図示の通信Ｉ／Ｆ及びネットワークを介して外部のデータベースに本番撮影時カメラと仮撮影時カメラの組み合わせに該当するエミュレート情報があるか否かを検索する。そして、該当するエミュレート情報があった場合は、そのエミュレート情報を取得するという構成になる。また、エミュレート情報をコンパクトデジタルカメラ１００の内部に記憶しておくことなく、図４に示したカメラ情報やレンズ情報を外部から取得し、取得したカメラ情報等やレンズ情報に基づいてコンパクトデジタルカメラ１００内部でエミュレート情報を生成する構成にしてもよい。
【００４７】
＜第２実施形態＞
第２実施形態に係る撮像装置は、他の撮像装置のレンズの色味に関するエミュレート情報を取得し、取得したエミュレート情報に基づいて他の撮像装置のレンズの色味に合わせた画像を生成する。ここで、第２実施形態においても、第１実施形態と同じく、第２実施形態に係る撮像装置を仮撮影時カメラと称し、他の撮像装置を本番撮影時カメラと称することとする。仮撮影時カメラ及び本番撮影時カメラのそれぞれの基本構成は第１実施形態と同じであり、仮撮影時カメラはコンパクトデジタルカメラ１００であり、本番撮影時カメラは業務用デジタルビデオカメラであるとし、これらの共通する内容についての説明は省略する。
【００４８】
第１実施形態では、コンパクトデジタルカメラ１００のシステム制御部５０は、ダイナミックレンジに関するエミュレート情報を取得した。これに対して、第２実施形態では、コンパクトデジタルカメラ１００のシステム制御部５０は、レンズの色味に関するエミュレート情報を取得し、この点で第１実施形態と相違する。以下、この相違点（差異点）を中心に説明を行うこととする。
【００４９】
図９は、レンズの色味に関するエミュレート情報テーブルの例を示す図である。このエミュレート情報テーブル９０１は、本番撮影時に用いるレンズ（以下「本番撮影時レンズ」という）と仮撮影時に用いるレンズ（以下「仮撮影時レンズ」という）の型番（機種）、色味情報、エミュレート情報を含む。ここで「色味」とは、レンズの分光透過特性やＲＧＢバランスを指す。また、エミュレート情報は、ＲＧＢの変換係数を含む。
【００５０】
図１０は、第２実施形態でのコンパクトデジタルカメラ１００で実行される動作のフローチャートある。図１０のフローチャートは、システム制御部５０が、所定のプログラムを実行することにより、レンズの色味に関するエミュレート情報を取得し、画像データを変換する処理の流れを示している。
【００５１】
先ず、ステップＳ１００１において、システム制御部５０は、レンズの色味に関するエミュレート情報を取得する。「レンズの色味に関するエミュレート情報」とは、図９に示したエミュレート情報（ｌｅｎｓ＿ｃｏｌｏｒａ→Ａ）であり、仮撮影時レンズの色味を本番撮影時レンズの色味に合わせるための情報である。
【００５２】
ここで、レンズの色味のエミュレート処理について説明する。図１１は、レンズの色味のエミュレート処理の内容を模式的に示す図である。図１１（ａ）はエミュレート処理に用いる処変換式を示しており、図１１（ｂ）はＸＹ色度図を示している。図１１（ｂ）に示す点１１０１，１１０２，１１０３はそれぞれ、仮撮影時レンズを用いて仮撮影時カメラで撮影した画像データの画素値（Ｒ，Ｇ，Ｂ）の点をＸＹ色度図上にプロットしたものである。これに対して点１１０４，１１０５，１１０６は、点１１０１，１１０２，１１０３に対応した、本番撮影時レンズを用いて本番撮影時カメラで撮影した画像データの画素値（Ｒ´，Ｇ´，Ｂ´）の点をＸＹ色度図上にプロットしたものである。
【００５３】
レンズの色味のエミュレート処理では、仮撮影時レンズと本番撮影時レンズとの間の色味の差を補正する。図１１（ａ）に示すように、仮撮影時レンズの点１１０１，１１０２，１１０３を本番撮影時レンズの点１１０４，１１０５，１１０６に近付ける変換行列を、“Ｌｃｏｌｏｒ＿ａｔｏＡ”とする。すると、仮撮影時レンズで撮影して取得した画像データの画素値（Ｒ，Ｇ，Ｂ）に、変換行列Ｌｃｏｌｏｒ＿ａｔｏＡを乗算することにより、本番撮影時レンズの色味を考慮した画素値（Ｒ´，Ｇ´，Ｂ´）を得ることができる。
【００５４】
なお、ここでは、エミュレート処理に変換行列Ｌｃｏｌｏｒ＿ａｔｏＡを用いるとしたが、これに限定されるものではない。例えば、仮撮影時カメラで撮影した画像データの画素値と、これに対応する本番撮影時カメラで用いる本番撮影時レンズの色味を考慮した画素値との対応付けテーブルをエミュレート情報としてもよい。
【００５５】
ステップＳ１００１の後のステップＳ１００２において、システム制御部５０は、撮影を行う。続いて、ステップＳ１００３において、システム制御部５０は、ステップＳ１００１において取得したレンズの色味のエミュレート情報に基づき、画像データの変換処理を画像処理部１０５に実行させる。そして、ステップＳ１００４において、システム制御部５０は、他にエミュレート情報があるか否かを判定する。他のエミュレート情報がない場合（Ｓ１００４でＮＯ）、システム制御部５０は処理を終了させる。一方、他のエミュレート情報がある場合（Ｓ１００４でＹＥＳ）、システム制御部５０は、処理をステップＳ１００３へ戻す。例えば、図９の場合、エミュレート情報は１つだけであるので、システム制御部５０は処理を終了させることとなる。
【００５６】
以上、第２実施形態では、仮撮影時レンズと本番撮影時レンズのエミュレート情報に基づき、仮撮影時レンズを用いて撮影した画像データから本番撮影時レンズを用いたときのレンズ特性に合わせた画像データを生成する構成とした。これにより、ユーザは、第２実施形態に係る撮像装置（レンズを含む）を用いて、仮想的に他の撮像装置（レンズを含む）の特性に合わせた画像を生成することが可能となる。よって、例えば、仮撮影時（ロケーションハンティング時）に第２実施形態に係る撮像装置を用いることにより、例えば、汎用の小型撮像装置等を用いて、本番撮影時に大型撮像装置を用いて得られる画像と同等の画像を得ることができるようになる。また、本番撮影時に用いる撮像装置を準備する必要がなくなるため、作業負荷を軽減することができる。
【００５７】
なお、第２実施形態では、レンズの色味に関するエミュレート情報を用いたが、これに限られず、例えば、レンズの種類、Ｆ値、焦点距離、被写界深度、歪み、周辺減光等に関するエミュレート情報を用いることもできる。また、色味という観点から、イメージセンサのフィルタ特性をエミュレート情報として用いることもできる。
【００５８】
一例として、焦点距離に関するエミュレート情報を用いた場合について説明する。この場合、本番撮影時レンズの焦点距離範囲に対応する仮撮影時レンズの焦点距離範囲を換算して求める。そして、仮撮影時には、仮撮影時カメラでの仮撮影時レンズの焦点距離値と本番撮影時カメラでの本番撮影時レンズの焦点距離値とを、ユーザが任意に切り替えて表示部１０９に表示することが可能な構成とする。これにより、ユーザは、本番撮影時にどの程度の焦点距離にすればよいかを把握することが容易となる。なお、焦点距離値に限られず、他の撮影パラメータについて、操作部１１５の操作により、仮撮影時カメラの撮影パラメータと本撮影時カメラの撮影パラメータとを表示部１０９に重畳表示するか或いは一方を表示するかを切り替えられる構成とすることができる。これにより、撮影パラメータの比較が容易となり、本番撮影時に撮影パラメータをどのように調整すればよいかを把握すること容易となる。
【００５９】
別の例として、イメージセンサのフィルタ特性を加味した場合について説明する。「イメージセンサのフィルタ特性」とは、例えば、ＣＭＯＳセンサの前面にあるローパスフィルタ（赤外カットフィルタ）の特性等である。この場合、仮撮影時カメラから本番撮影時カメラの色味に変換するための変換行列Ｌｃｏｌｏｒ＿ａｔｏＡに、更にイメージセンサのフィルタ特性を加味した変換行列を用いてエミュレートすることになる。
【００６０】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６１】
例えば、上記実施形態では、業務用デジタルビデオカメラの画像データを、コンパクトデジタルカメラを用いて仮想的に生成する例について説明した。但し、本発明を用いれば、逆に、業務用デジタルビデオカメラを用いてコンパクトデジタルカメラの特性に合わせた画像データを生成するということも可能である。
【００６２】
本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６３】
５０  システム制御部
１００  コンパクトデジタルカメラ
１０１    レンズ群
１０３    撮像部
１０４    Ａ／Ｄ変換器
１０５    画像処理部
１０９    表示部
１１１    記憶媒体
１１４    不揮発性メモリ
５０１    エミュレート情報テーブル
９０１    エミュレート情報テーブル
【図１】
2014176004.tif 000003
【図２】
2014176004.tif 000004
【図３】
2014176004.tif 000005
【図４】
2014176004.tif 000006
【図５】
2014176004.tif 000007
【図６】
2014176004.tif 000008
【図７】
2014176004.tif 000009
【図８】
2014176004.tif 000010
【図９】
2014176004.tif 000011
【図１０】
2014176004.tif 000012
【図１１】
2014176004.tif 000013